(57)【要約】【課題】様々な広告費精算に対応する政策を運営することができるマッシュアップ（ｍａｓｈ−ｕｐ）地図広告を用いる地図広告システム及びその方法を提供する。【解決手段】本発明の地図広告システムは、アドバタイザー端末から受信された位置情報を含む広告情報に基づいて、広告レイヤ及び前記広告レイヤの識別子を生成する広告管理部、地理情報を提供するためのベースマップレイヤを提供するベースマップ提供部、及び前記位置情報に基づいて前記広告レイヤ及び前記ベースマップレイヤを統合してマッシュアップ地図データを生成するマッシュアップ地図広告部を含む。【選択図】図３
2008210385.tif 000002
【特許請求の範囲】
【請求項１】
地図広告システムであって、
アドバタイザー端末から受信された位置情報を含む広告情報に基づいて、広告レイヤ及び前記広告レイヤの識別子を生成する広告管理部、
地理情報を提供するためのベースマップレイヤを提供するベースマップ提供部、及び
前記位置情報に基づいて、前記広告レイヤ及び前記ベースマップレイヤを統合してマッシュアップ地図データを生成するマッシュアップ地図広告部、を含み、
前記広告レイヤの識別子は、前記広告レイヤにおける広告露出に関する関数を含むことを特徴とする地図広告システム。
【請求項２】
前記関数は、広告露出回数、広告のクリック数及び広告プリント回数のうち、少なくとも何れか一つに関わる関数を含むことを特徴とする請求項１記載の地図広告システム。
【請求項３】
前記ベースマップ提供部は、
複数の部分地域情報に分割されたベースマップレイヤデータを格納及び提供するベースマップサーバー、及び
前記ベースマップレイヤデータの利用を支援するオープンＡＰＩ（Ａｐｐｌｉｃａｔｉｏｎ  Ｐｒｏｇｒａｍ  Ｉｎｔｅｒｆａｃｅ）を提供するオープンＡＰＩサーバー、を含むことを特徴とする請求項１記載の地図広告システム。
【請求項４】
前記マッシュアップ地図データは、前記オープンＡＰＩに基づいて構成されることを特徴とする請求項３記載の地図広告システム。
【請求項５】
前記オープンＡＰＩサーバーは、前記マッシュアップ地図データを他のサイトに掲示することができるオープンＡＰＩ及び前記オープンＡＰＩのキー（ｋｅｙ）を提供することを特徴とする請求項４記載の地図広告システム。
【請求項６】
前記広告レイヤの識別子は、前記オープンＡＰＩのキーを含むことを特徴とする請求項５記載の地図広告システム。
【請求項７】
前記広告管理部は、前記広告レイヤの識別子を用いて、広告露出回数、広告のクリック数、広告プリント回数のうち、少なくとも何れか一つをモニタリングすることを特徴とする請求項２記載の地図広告システム。
【請求項８】
前記広告管理部は、
広告情報の入力手段を提供し、前記広告情報を登録する広告登録サーバー、
広告レイヤの識別子を用いて広告の現況をモニタリングする広告追跡サーバー、
広告レイヤ及び広告レイヤの識別子を生成し、前記広告登録サーバー及び広告追跡サーバーを管理する広告管理サーバー、を含むことを特徴とする請求項７記載の地図広告システム。
【請求項９】
前記広告管理部は、
前記広告モニタリングの現況の確認をアドバタイザー端末に提供する広告確認部をさらに含むことを特徴とする請求項８記載の地図広告システム。
【請求項１０】
前記マッシュアップ地図広告部は、内部または外部サイトへの前記マッシュアップ地図データのスクラップを支援し、
前記広告レイヤの識別子は、内部または外部サイトへスクラップされたマッシュアップ地図データにおける広告露出に関する関数を含むことを特徴とする請求項１から９の何れか一つに記載の地図広告システム。
【請求項１１】
地図広告方法であって、
アドバタイザー端末に位置情報を含む広告情報の入力手段を提供する段階、
前記アドバタイザー端末に広告課金方式の選択を提供する段階、
前記広告情報に基づいて、広告レイヤ及び前記広告レイヤの識別子を生成する段階、
前記広告レイヤ及びベースマップレイヤを混合してマッシュアップ地図広告データを生成する段階、及び
前記選択された広告課金の方式及び前記広告レイヤの識別子を用いて、広告に対する課金を行う段階、を含むことを特徴とする地図広告方法。
【請求項１２】
前記広告課金の方式は、広告露出回数、広告のクリック数、プリント回数、及びスクラップ回数のうち、少なくとも何れか一つに基づくことを特徴とする請求項１１記載の地図広告方法。
【請求項１３】
前記広告レイヤの識別子は、ベースマップとの連関情報及び前記広告課金の方式に関する関数を含むことを特徴とする請求項１２記載の地図広告方法。
【請求項１４】
前記マッシュアップ地図データは、他のサイトへのスクラップを支援するオープンＡＰＩを用いて生成されることを特徴とする請求項１１記載の地図広告方法。
【請求項１５】
前記オープンＡＰＩで構成されるマッシュアップ地図データに対してオープンＡＰＩのキーを付与する段階をさらに含み、
前記広告レイヤの識別子は、前記オープンＡＰＩのキーに関する関数をさらに含むことを特徴とする請求項１４記載の地図広告方法。
【請求項１６】
前記広告課金の遂行段階は、
マッシュアップ地図データの呼出の時の広告露出をモニタリングする段階を含み、
前記モニタリングの対象は、広告露出回数、広告のクリック数、スクラップ回数、及びプリント回数のうち、少なくとも何れか一つであることを特徴とする請求項１２記載の地図広告方法。
【請求項１７】
前記広告課金の遂行段階は、
前記モニタリングの結果と広告レイヤの識別子とをマッチングさせて広告費を算出する段階をさらに含むことを特徴とする請求項１６記載の地図広告方法。
【請求項１８】
請求項１１から１７のいずれか一つに記載の地図広告方法を具現するためのプログラムを記録したコンピュータ読取可能な記録媒体。
【発明の詳細な説明】
【技術分野】
【０００１】
本発明はマッシュアップ（ｍａｓｈ−ｕｐ）された地図を用いる広告管理システム及びその方法に関する。
【背景技術】
【０００２】
近来、インターネット上の有名ポータルサイトの大分において地図サービスが提供されている。一般的に、このようなインターネット地図サービスのための基本的な地図データは、ポータルサイト若しくは専門の地図製作業者によって製作されている。実際に、グーグル（ｇｏｏｇｌｅ）、ヤフー（ｙａｈｏｏ）及びマイクロソフト社などは、インターネット地図を自社で製作し、当該サービスを提供しており、また、韓国国内でも多くの会社が、地図データの製作及び該サービスの提供を行っている。
【０００３】
また、最近のインターネット地図サービスでは、地図のみならず、地図データ上に付加情報を混在させた、いわゆる「マッシュアップ」地図を提供するマッシュアップ地図サービスがある。マッシュアップされた地図情報は、広告、天気、犯罪可能性のある地域などの地域に関する情報を地図に混合（付加）して提供すると共に、それに関する有用な情報をさらに提供している。
【０００４】
特に、広告の場合には、特定地域における企業の位置情報に、当該企業の広告を地図上に露出させることができるため、当該企業を広告することができると共に、当該企業に係る製品等の割引クーポンの発行や割引イベントの情報などをさらに提供することもできる。
【０００５】
図１は、従来の地図サービスを説明するためのフローチャートである。
【０００６】
従来の地図サービスは、アドバタイザー（広告主）端末１０、地図サービスシステム２０及びユーザ端末３０を含んで構成される。
【０００７】
アドバタイザーは、アドバタイザー端末１０を通じて、地図サービスシステム２０に広告の対象となる企業の位置情報及び露出期間を特定して当該地図サービスシステム２０に広告掲載を要請するＳ１０。
【０００８】
当該広告要請に応じて、地図サービスシステム２０は、登録された企業の位置情報に対応する広告バナー（地図上に表示される広告企業の位置を示すアイコンやマーク等）を作成する（ステップＳ２０）。そして、地図サービスシステム２０は、ユーザ端末３０からのこの企業の位置情報が含まれた地図データの要請に応じて、地図上に上記広告バナーとともに、地図のバナー広告掲載欄（例えば地図データの横）に当該企業のバナー広告が表示されるように提供する。
【０００９】
例えば、ユーザ端末３０が、地図サービスシステム２０に特定地域の地図のサーチを要請すると（ステップＳ３０）、地図サービスシステム２０は、地図データと共に、地図のサーチ要請がされた地域の広告情報をバナーの形態で提供する（ステップＳ４０）。
【００１０】
一方、地図サービスシステム２０は、ステップＳ１０において広告主が広告要請をした際に設定した広告の露出期間を監視し、広告の露出期間を超える広告を表示させないようにする。また、地図サービスシステム２０は、露出期間に基づく広告費を、事前に若しくは露出期間後にアドバタイザーに請求する（ステップＳ５０）。
【００１１】
次に、図２は、従来の地図サービスシステムにおいて地図上に広告が露出された一例を示す図である。
【００１２】
図２に示すように、ユーザ端末３０に表示される特定地域の地図データ上には、広告の対象となる企業の位置を示すマーク（広告バナー）が表されると共に、地図表示領域以外の表示領域に、地図データ上に表示された企業の表示マークに対応する企業のバナー広告が露出される。
【００１３】
バナー広告は、企業情報の以外に、例えば、割引クーポン、評価情報などを含むことができる。さらに、サーチキーワード、ユーザの関心項目及びユーザの位置情報などを考慮し、ユーザが要請した特定地域に含まれる地図データ上に表示される企業をフィルタリングして、広告の対象となる企業をサーチキーワード、ユーザの関心項目及びユーザの位置情報で選別して表示させることも可能である。
【００１４】
しかしながら、上記従来技術の課金形態は、広告の露出期間に基づいた広告費課金しか適用できず、様々な広告費課金政策を広告主に提供できないという問題点がある。すなわち、地図データ上に表示される広告の対象となる企業の位置情報（広告バナー）の数が多くなると、当該地図上に示される各広告バナーの広告露出を追跡することが不可能であるため、広告の露出期間に基づいた広告費課金形態しか適用できず、他の様々な広告費課金政策を適用することができなかった。
【００１５】
広告費課金政策としては、従来から１クリック当たり広告費の支払（ＣＰＣ：ｃｏｓｔ−ｐｅｒ−ｃｌｉｃｋ）、１購買当たり広告費の支払（ＣＰＡ：ｃｏｓｔ−ｐｅｒ−ａｃｔｉｏｎ）、特定露出回数当たり広告費の支払（ＣＰＭ：ｃｏｓｔ−ｐｅｒ−ｍｉｌｅ）など多様な支払方法がある。しかしながら上述のように地図上における広告バナーの広告露出の追跡が困難であるため、このような広告費課金政策を地図広告サービスに応用した場合、アドバタイザーは、実際に自分の製品や企業が有効に広告されたか否かに関わらず、一定の広告費を支払わなければならないという不合理が発生してしまうことから、これら従来の広告費課金政策を地図広告サービスに適用することができない課題がある。
【００１６】
一方、地図サービスの運営者としても、広告の対象に応じて様々な広告費課金政策をアドバタイザーに提供することができないことから、地図広告サービスを活性化することができないという問題点がある。
【００１７】
また、前述のように、従来技術の地図を用いる広告方法は、ユーザ端末が地図サービスを用いる場合、地図サービスシステムのサイト内のみから提供されるので、オンラインサービスの利点であるバイラル・マーケティング（ｖｉｒａｌ  ｍａｒｋｅｔｉｎｇ）を全く利用することができないという問題点がある。
【発明の開示】
【発明が解決しようとする課題】
【００１８】
そこで本発明は、前述の従来技術の問題点を解決するために、様々な広告費課金政策を適用することができるマッシュアップされた地図広告システム及びその方法を提供することを目的とする。
【００１９】
さらに、本発明は、内部サイト又は外部サイトの他のサービスに広告露出を提供すると共に、広告露出及び広告へのアクセスについての記録を追跡することができる地図広告システム及びその方法を提供することを目的とする。
【課題を解決するための手段】
【００２０】
本発明の第１の側面に係る地図広告システムは、アドバタイザー端末から受信された位置情報を含む広告情報に基づいて、広告レイヤ及び前記広告レイヤの識別子を生成する広告管理部、地理情報を提供するためのベースマップレイヤを提供するベースマップ提供部、及び前記位置情報に基づいて、前記広告レイヤ及び前記ベースマップレイヤを統合してマッシュアップ地図データを生成するマッシュアップ地図広告部を含む。ここで、前記広告レイヤの識別子は、前記広告レイヤによって露出される広告に関する関数を含むことができる。
【００２１】
さらに、前記関数は、広告露出回数、広告のクリック数及び広告プリント回数のうち、少なくとも何れか一つに関わる関数を含むことができる。
【００２２】
さらに、前記ベースマップ提供部は、複数の部分地域情報に分割されたベースマップレイヤデータを格納及び提供するベースマップサーバー、及び前記ベースマップレイヤデータの利用を支援するオープンＡＰＩを提供するオープンＡＰＩサーバーを含むことができる。
【００２３】
本発明の第２の側面に係る地図広告方法は、アドバタイザー端末に位置情報を含む広告情報の入力手段を提供する段階、前記アドバタイザー端末に広告課金方式の選択を提供する段階、前記広告情報に基づいて、広告レイヤ及び前記広告レイヤの識別子を生成する段階、前記広告レイヤ及びベースマップレイヤを統合してマッシュアップ地図広告データを生成する段階、及び前記選択された広告課金の方式及び前記広告レイヤの識別子を用いて、広告に対する課金を行う段階を含む。
【００２４】
ここで、前記広告課金の方式は、広告露出回数、広告のクリック数、プリント回数、及びスクラップ回数のうち、少なくとも何れか一つに基づいて定めることができる。
【００２５】
さらに、本発明の第３の側面によれば、上記方法を実行するためのプログラムが記録された記録媒体が提供される。
【発明の効果】
【００２６】
前述の本発明の構成により、露出の期間、露出回数、クリック数、スクラップ回数及びプリント回数などに基づいた様々な広告費課金政策が適用されたマッシュアップ地図広告をアドバタイザーに適用することが可能となる。
【００２７】
また、ブログ、ニュースページのような内部サイトだけでなく、外部サイトにもマッシュアップ地図広告のスクラップを支援することから、地図のサーチ及び広告の波及効果を倍加させることのできる効果がある。
【００２８】
また、スクラップされた後にも、露出の期間、露出回数、クリック数、スクラップ回数、及びプリント回数などの広告費課金の根拠となるデータの追跡ができるため、広告効果に基づく、さらに有効な広告費課金政策の運営ができるという著しい効果が発揮される。
【発明を実施するための最良の態様】
【００２９】
図３は、本発明の一実施の形態に係る地図広告システムの概略的な構成を示すブロック図である。
【００３０】
本発明の一実施の形態に係る地図広告システム１００は、広告管理部１１０、マッシュアップ地図広告部１２０及びベースマップ提供部１３０を含む。
【００３１】
アドバタイザー端末１０（広告主）は、ネットワークを通じて地図広告システム１００に、アドバタイザーが所望する地図上の特定の位置情報に対応する広告を要請する。広告管理部１１０は、広告要請を受け付けて登録する。広告要請には、企業名及び広告字句に関する情報の以外にも、広告の対象となる企業の位置情報が含まれている。さらに、広告の要請に際し、広告主は、広告費を支払うための広告費課金政策のうちの一つを選択することができる。
【００３２】
地図広告システム１００が提供する広告費課金政策は、広告露出期間のみならず、ＣＰＣ（ｃｏｓｔ−ｐｅｒ−ｃｌｉｃｋ）、ＣＰＡ（ｃｏｓｔ−ｐｅｒ−ａｃｔｉｏｎ）及びＣＰＭ（ｃｏｓｔ−ｐｅｒ−ｍｉｌｅ）方式のうちのいずれか一つの広告費課金方式を選択することができる。
【００３３】
さらに、本発明は、ブログ４０やニュースページ５０などの地図広告システムが提供する内部サイト、又は外部サイト６０にマッシュアップされた地図データが「スクラップ」された場合に、「スクラップ」された回数に基づいて広告費を課金する課金方式を提供する。
【００３４】
広告管理部１１０は、広告主からの広告要請に含まれる情報を用いて広告レイヤを生成して、生成した広告レイヤに識別子を付与する。広告レイヤの識別子は、拡張可能なマークアップ言語（ＸＭＬ：  ｅＸｔｅｎｓｉｂｌｅ  Ｍａｒｋ−ｕｐ  Ｌａｎｇｕａｇｅ）で生成することができる。ＸＭＬは、ｗｅｂやイントラネットの環境下で情報を生成し、データ自体とデータのフォーマットの形態とを同時に共有可能とする情報フォーマットである。
【００３５】
また、広告レイヤの識別子は、後述するベースマップに関する基本情報を含むとともに、広告管理部１１０が、広告露出回数、クリック回数及びスクラップ回数を追跡できるように、広告露出又は広告課金方式に関する情報要素を含む。
【００３６】
ベースマップ提供部１３０は、地理情報を提供するベースマップレイヤを提供する。ベースマップレイヤのデータは、特定サイズの図葉（ｐａｒｔｉｔｉｏｎ）に複数に分割して格納される。また、各図葉は、さらにディスプレイに適した小さなサイズに分割された複数の部分地域データで構成され、各部分地域データは、識別子が付与されて格納される、従って、特定関心地点（ＰＯＩ：ｐｏｉｎｔ  ｏｆ  ｉｎｔｅｒｅｓｔ）が指定されると、この関心地点を中心として対応する部分地域データが合わさって、一つの地図データが生成される。
【００３７】
本発明の一実施の形態に係るベースマップ提供部１３０は、ベースマップレイヤデータを内部サイト又は外部サイトにおいて自由に用いることができるオープンＡＰＩ（Ａｐｐｌｉｃａｔｉｏｎ  Ｐｒｏｇｒａｍ  Ｉｎｔｅｒｆａｃｅ）を共に提供することができる。
【００３８】
マッシュアップ地図広告部１２０は、広告管理部１１０で生成された広告レイヤと、ベースマップ提供部１３０で生成されたベースマップレイヤデータとを統合してマッシュアップ地図を生成する。広告がマッシュアップされて組み込まれた地図データは、地図広告システム１００の内部サイトであるブログ４０またはニュースページ５０に提供され、また、地図広告システム１００の外部サイト６０に提供される。
【００３９】
そして、本発明の広告管理部１１０は、広告レイヤに付与された識別子を用いて、ブログ４０、ニュースページ５０及び他の外部サイト６０に露出した広告に関する統計データを生成し、アドバタイザー端末１０にこれら統計データを提供することができる。
【００４０】
図４は、本発明の一実施の形態に係る地図広告システム１００の詳細な構成を示すブロック図である。
【００４１】
広告管理部１１０は、広告確認サーバー１１１、ログデータ統計サーバー１１２、広告登録サーバー１１３、広告追跡サーバー１１４及び広告管理サーバー１１５を含む。
【００４２】
広告登録サーバー１１３は、アドバタイザー端末１０からの広告の要請を受信及び格納する。広告の要請に含まれる広告情報は、アドバタイザー、位置情報及び広告コンテンツデータなどの基本的な情報と共に、アドバタイザーが指定した広告課金方式を含む。
【００４３】
広告管理サーバー１１５は、広告登録サーバー１１３に登録された広告の要請（アドバタイザー端末１０から送信された位置情報を含む広告情報）に基づいて広告レイヤを生成し、生成した広告レイヤに識別子を付与する。前述のように、広告レイヤの識別子はＸＭＬ形式で生成され、様々なｗｅｂサイトに対して互換性を維持した提供が可能である。また、広告管理サーバー１１５は、広告管理部１１０の構成要素１１１、１１２、１１３、１１４全体又は各々を管理及び制御することができるプログラム又は管理ツールを提供することができる。
【００４４】
ログデータ統計サーバー１１２は、広告に関するログデータ及びその他の情報を格納する。その他の情報としては、広告をクリックするユーザの年令及び地域の情報などを含むことができる。この情報は、アドバタイザーに提供することができ、また、アドバタイザーにオープンせずに、広告管理システム１００の内部統計資料として活用することもできる。
【００４５】
広告追跡サーバー１１４は、広告レイヤの識別子を通じて、広告の露出、クリック回数及びスクラップ回数などをモニタリングする。さらに、広告が露出された内部サイト又は外部サイトのアドレスをモニタリングしたり、広告が露出された経路（パス）全体に対してモニタリングすることができる。
【００４６】
広告確認サーバー１１１は、ログデータ統計サーバー１１２又は広告追跡サーバー１１４によって収集された広告露出に関する情報を受信し、所定の認証を経てアドバタイザー端末１０に提供する（閲覧機能の提供）。
【００４７】
ベースマップ提供部１３０は、ベースマップサーバー１３１及びオープンＡＰＩサーバー１３３を含む。ベースマップサーバー１３１及びオープンＡＰＩサーバー１３３は、各々ベースマップ情報及びオープンＡＰＩ情報を格納するデータベース１３２、１３４を含むことができる。
【００４８】
ベースマップサーバー１３１は、ユーザからの地図のサーチ要請に応じて地理的情報を表すベースマップレイヤデータを提供する。ベースマップデータベース１３２は、前述のように、図葉を分割した複数の部分地域データを格納しており、ユーザが選択（入力）する関心地域（ＰＯＩ）を中心として部分地域データを組み合わせて伝送する。
【００４９】
ここで、ベースマップサーバー１３１から提供されるベースマップレイヤデータは、オープンＡＰＩに構成され、どのようなユーザであっても公開されたオープンＡＰＩを用いて、ベースマップレイヤデータを用いることができる。オープンＡＰＩサーバー１３３は、外部サイトの要請に応じてＡＰＩを提供し、当該外部サイトでのベースマップレイヤデータの自由に利用をサポートする。なお、ＡＰＩ（Ａｐｐｌｉｃａｔｉｏｎ  Ｐｒｏｇｒａｍ  Ｉｎｔｅｒｆａｃｅ）は、応用プログラムインタフェースと称され、運営システムや応用プログラムの機能を他の応用プログラムが遂行できるように、コンピュータの運営システムや応用プログラムによって予め定められた特定関数（特定機能）の集合を意味する。
【００５０】
本発明の一実施の形態におけるベースマップレイヤデータは、オープンＡＰＩと連動されるため、内部サイト４０、５０だけではなく、外部サイト６０でも自由にベースマップレイヤデータを用いることができる。
【００５１】
マッシュアップ地図広告部１２０は、内部マッシュアップ地図広告サーバー１２１及び外部マッシュアップ地図広告サーバー１２２を含む。
【００５２】
内部マッシュアップ地図広告サーバー１２１は、ブログ４０またはニュースページ５０など、地図広告システム１００の内部のｗｅｂページに掲示することができるマッシュアップ地図広告データを生成する。この際、内部のｗｅｂページは、既に知られているオープンＡＰＩを用いてマッシュアップ地図広告データを掲載することができる。
【００５３】
外部マッシュアップ地図広告サーバー１２２は、外部サイト６０にも掲載することができるマッシュアップ地図広告データを生成し、外部サイト６０に広告レイヤが載せられたマッシュアップ地図広告データを提供する。
【００５４】
外部サイト６０に提供されるマッシュアップ地図広告データは、オープンＡＰＩを用いて提供することができ、オープンＡＰＩのキー（ｋｅｙ）の値とマッチングされるマッシュアップ地図広告データが提供される。この場合、オープンＡＰＩのキーの値は、広告レイヤの識別子に含まれる。
【００５５】
広告管理部１１０、マッシュアップ地図広告部１２０及びベースマップ提供部１３０に含まれた構成要素は、図４に示すように、別個のサーバーから構成することも可能であるが、一つのハードウェアにソフトウェアモジュールとして設けることも可能であり、この場合も動揺の動作を遂行する。
【００５６】
一方、マッシュアップ地図広告部１２０は、広告レイヤと統合された状態のマッシュアップ地図データを格納してから提供するのではなく、マッシュアップ地図データが要請された場合、ベースマップレイヤを先に伝送し、識別子に基づいて当該ベースマップと対応する広告レイヤをその後順次伝送するようにしてもよい。
【００５７】
図５は、本発明の実施の形態に係るマッシュアップ地図広告データの構造をレイヤ状に示した図である。
【００５８】
上述のように、マッシュアップ地図広告データは、広告レイヤと、ベースマップレイヤとに分けられる。広告レイヤとベースマップレイヤは、広告主により特定された位置情報を基準として、その座標が互いに一致するように重畳される。
【００５９】
広告レイヤにはベースマップ上に載せられて特定の企業の広告を示すことができる広告表示情報が挿入される。この広告表示情報としては、アイコン、リンク情報、または企業のローゴなどの様々な形態のイメージ情報がある。
【００６０】
広告管理部１１０は、広告レイヤの識別子を付与して管理する。広告管理部１１０は、広告レイヤに付与された識別子を含むマッシュアップ地図広告データをマッシュアップ地図広告部１２０に格納し、他の内部サイトまたは外部サイトへのスクラップを許可する。そして、本発明は、マッシュアップ地図広告データに含まれる（付与される）広告レイヤの識別子を用いて、広告費課金政策に係る統計データを追跡する。また、広告管理部１１０は、新たな広告の要請がある場合、広告レイヤ及び広告レイヤの識別子を更新することができる。
【００６１】
また、ベースマップレイヤと広告レイヤは、外部にオープンされたオープンＡＰＩに基づいて構成される。特に、外部サイトへのスクラップを支援するために、スクラップを要請した外部サイトに対してオープンＡＰＩのキーの値が付与される。オープンＡＰＩのキーの値は、広告レイヤの識別子に含まれる。
【００６２】
図６は、本発明の一実施の形態に係る広告レイヤの識別子の情報要素を示す図である。
【００６３】
広告レイヤの識別子は、マッチングされるベースマップレイヤと広告レイヤに関する情報要素を含んでいる。広告レイヤの識別子の情報要素は、ベースマップに関する情報要素と、広告露出（または、広告課金方式）に関する情報要素に大分される。
【００６４】
広告レイヤの識別子の情報要素は、地図のイメージ番号ｆ１、ズームレベル番号ｆ２、地図イメージ座標ｆ３、ＧＰＳ座標ｆ４、リンク情報ｆ５、時間関数ｆ６、クリック回数の制限関数ｆ７、露出回数の制限関数ｆ８、ズームレベル露出の制限関数ｆ９、プリントの制限関数ｆ１０及びＵＲＬ露出の制限関数ｆ１１を含む。
【００６５】
ベースマップに関わる情報要素について説明すると、地図のイメージ番号ｆ１は、マッチングされるベースマップレイヤの地図のイメージ番号を表す。ズームレベル番号ｆ２は、露出されるズームレベルを表す。地図イメージ座標ｆ３は、ベースマップレイヤで示される地図内のＸ、Ｙ座標を表す。ＧＰＳ座標ｆ４は、その他の装置でもマッシュアップ地図広告を利用できるようにＧＰＳ（衛星航法システム）座標を表す。ＧＰＳ座標は、Ｂｅｓｓｅｌ座標とＷＧＳ８４座標とのうちの少なくとも何れか一つを含むことができる。リンク情報ｆ５は、当該ホームページの情報又はイベントホームページなどの様々なリンク情報を含むことができる。
【００６６】
一方、広告露出に関わる情報要素について説明すると、時間関数ｆ６は、広告が露出される期間を設定する。広告の更新の要請がない限り、時間関数に係る期間が満了すると、広告レイヤから当該広告は消去される。クリック回数の制限関数ｆ７は、広告レイヤに示された広告又は関連広告バナーに対するクリック回数を制限する。
【００６７】
露出回数の制限関数ｆ８は、マッシュアップ地図広告の露出回数を制限する。ズームレベル露出の制限関数ｆ９は、広告レイヤの広告が特定レベルで露出されることを制限した関数である。
【００６８】
プリントの制限関数ｆ１０は、マッシュアップ地図広告のプリント回数に対して設定された関数である。より好ましくは、プリント回数をカウントするために、マッシュアップ地図広告ページをプリントすることができる機能を内蔵するとよい。
【００６９】
ＵＲＬ露出の制限関数ｆ１１は、地図広告システム自体の地図または地域のサーチページの以外に、他のＵＲＬからマッシュアップ地図広告データが呼び出される回数、またはＵＲＬの個数に対して設定した関数である。ＵＲＬ露出の制限関数ｆ１１は、内部サイト及び外部サイトの両方に適用可能である。外部サイトの場合には、前述のように、オープンＡＰＩのキーの値が必要であるため、オープンＡＰＩのキーの値がＵＲＬに対応付けられて格納される。
【００７０】
このように、マッシュアップ地図広告データは、広告レイヤの広告のクリック数、露出回数、プリント回数、または他のサイトへのスクラップ回数を設定及び追跡することができ、このような追跡結果を広告費精算に反映することができる。
【００７１】
広告レイヤの識別子は、他のサイトにも適用ができるように優れた互換性を持つＸＭＬ方式に生成されることが好ましい。
【００７２】
また、上述した関数は、予め定められた回数だけクリックされるか若しくは露出される場合に、当該広告を非表示とするように構成することができる。なお、本発明の実施の形態は、前述の関数に限らず、露出、クリック、プリント、ズームレベル及びスクラップ回数を変数とするどのような関数であってもよい。
【００７３】
図７は、本発明の一実施の形態に係る地図広告の方法を示すフロー図である。
【００７４】
段階Ｓ１００において、アドバタイザーは、地図広告システムが提供するｗｅｂページを通じて広告情報を入力する。この広告情報は、アドバタイザー、広告製品、広告の対象となる企業及び広告の対象となる企業の位置情報を含む。広告の対象となる企業の位置情報は、ＧＰＳ座標のような絶対的な位置情報だけでなく、住所または地番に関する情報も含む。又は、地図広告システム提示する地図上をアドバタイザーが直接クリックすることで位置情報を入力することもできる。
【００７５】
一方、段階Ｓ２００においては、地図広告システムは、広告課金の方式を定めることのできるページを提供する。広告課金の方式は、ＣＰＣ（ｃｏｓｔ−ｐｅｒ−ｃｌｉｃｋ）、ＣＰＡ  （ｃｏｓｔ−ｐｅｒ−ａｃｔｉｏｎ）、及びＣＰＭ（ｃｏｓｔ−ｐｅｒ−ｍｉｌｅ）のうち、少なくとも何れか一つを選択することができる。広告課金の方式は、これらの方式の以外に、スクラップ回数などを制限する課金方式や、これらの広告の方式を互いに組み合わせて選択することもできる。
【００７６】
広告情報と広告課金の方式とが決定されると、広告情報に基づいて地図広告システムは、段階Ｓ３１０〜Ｓ３４０において広告レイヤの識別子に必要な情報要素を選択する。
【００７７】
より具体的には、広告の露出回数を制限する（ステップＳ３１０）、クリック数を制限する（ステップＳ３２０）、スクラップ回数を制限する（ステップＳ３３０）、又はプリント回数を制限する（ステップＳ３４０）を広告情報に基づいて選択する。
【００７８】
なお、図７には示されていないが、広告の掲載期間に関する時間関数も生成することができ、かつ、ズームレベルに係る露出の制限関数を生成することもできる。
【００７９】
そして、情報要素の選択に基づいて、段階Ｓ４００において、広告レイヤの識別子を生成する。広告レイヤの識別子は、ベースマップ上に載せられる広告レイヤに関する情報として、今後の広告費精算の基礎となることができる。広告レイヤの識別子は、マッチングされるベースマップに対する連関情報と、段階Ｓ３１０〜Ｓ３４０から選択された広告の露出に関する情報要素とを含む。
【００８０】
従って、段階５００において、広告レイヤの識別子に対応する広告レイヤとベースマップレイヤとを統合（合成）してマッシュアップ地図を生成する。広告レイヤとベースマップレイヤとを互いにマッチングする手段としては、広告の対象となる企業の位置情報が用いられ、広告レイヤがベースマップレイヤ上に載せられることによって広告を含むマッシュアップ地図が生成される。
【００８１】
生成されたマッシュアップ地図は、ユーザによって呼び出されて内部サイトまたは外部サイトに露出される。マッシュアップ地図の露出自体がマッシュアップ地図広告を成すようになる。地図広告の形態として、前述のように、ベースマップ上に載せられた広告レイヤのアイコン、テキスト、グラフィク、ローゴイメージ、及びバナーイメージなどが用いられ、かつ、当該広告は、地図のサーチのためにマッシュアップ地図を呼び出したユーザに露出される。
【００８２】
段階Ｓ６００において、広告課金方式に基づいて、マッシュアップ地図広告によって露出された広告を追跡する。課金の方式に応じて、露出回数、クリック数、スクラップ回数、及びプリント回数のうち、少なくとも一つが追跡される。一方、追跡段階Ｓ６００は、追跡結果が段階Ｓ３１０〜Ｓ３４０において設定された回数に逹したか否かをチェックする機能も含む。
【００８３】
段階Ｓ７００において、地図広告システムは、追跡結果をアドバタイザーに提供し、追跡結果に基づいて広告費を精算する（ステップＳ８００）。追跡結果の提供は、段階Ｓ３１０〜Ｓ３４０において設定された回数に達することを通報する方式とすることも可能であり、広告費精算の処理は、設定された回数に対して既に広告費が支払われて、追加広告を望まない場合には省略することができる。
【００８４】
以下、マッシュアップ地図広告を生成する方法について、より具体的に説明する。
【００８５】
図８は、本発明の実施の形態におけるマッシュアップ地図広告を生成する方法を示すフロー図である。
【００８６】
段階Ｓ４００において、広告レイヤの識別子が生成されると、広告レイヤの識別子とアドバタイザー端末から入力された広告情報に基づいて、広告レイヤを生成する（ステップＳ５１０）。広告レイヤは、広告の対象となる企業の位置情報を基準として、ベースマップとアラインメントされるように構成される。広告レイヤには広告の対象となる企業のアイコン、ローゴ、及び企業名の以外に、様々なイメージを挿入することができる。
【００８７】
段階Ｓ５２０においては、広告レイヤを広告の対象となる企業の情報を基準として、ベースマップレイヤと結合させてマッシュアップ地図広告を生成する。マッシュアップ地図広告はオープンＡＰＩと共に提供されるため、オープンＡＰＩを用いることのできるいずれの主体であってもマッシュアップ地図広告を用いることができる。
【００８８】
段階Ｓ５３０において、オープンＡＰＩのキーの値が必要であるか否かをチェックする。オープンＡＰＩのキーの値は外部サイトの環境においてもマッシュアップ地図広告を用いるために必要なキーの値である。
【００８９】
オープンＡＰＩのキーの値が必要な場合には、オープンＡＰＩのキーの値を割り当てて、外部サイトの環境に適したマッシュアップ地図広告データを伝送し、かつ、掲示ができるようにする（ステップＳ５４０）。オープンＡＰＩのキーの値が必要な場合には、関連情報をさらに追加されるように、広告レイヤの識別子が再生成される（ステップＳ５４１）。再生成された広告レイヤの識別子に含まれたオープンＡＰＩのキーの値を用いる場合には、広告管理部１１０は、外部サイトへのスクラップ回数をカウントすることができる。
【００９０】
段階Ｓ５５０において、広告レイヤが統合されたマッシュアップ地図データを格納し、ユーザによる地図のサーチや地域情報のサーチの要請に対して、マッシュアップ地図データを使用することができるようにする。
【００９１】
格納されたマッシュアップ地図データは、地図のサーチや地域情報をサーチする場合に広告レイヤの広告と共に露出され、広告レイヤの広告がユーザにどのような方式で露出されるかを、様々な広告費課金方式に応じて追跡する。
【００９２】
図９は、本発明の一実施の形態に係る広告追跡の方法を示すフロー図である。
【００９３】
ユーザが特定地域の地図や地域情報をサーチする場合、マッシュアップ地図データが呼出される（ステップＳ６１０）。マッシュアップ地図データは、地域情報の以外にも当該地域と関する広告データをユーザに露出させることができる。
【００９４】
段階Ｓ６２０において、広告追跡サーバーは、広告の露出をモニタリングする。広告の露出は、単に地図上に示された広告アイコン又はローゴの以外にも、広告費課金方式に応じて様々な方式で進められる。
【００９５】
例えば、段階Ｓ６３０では、マッシュアップ地図データが呼び出されることによって地図領域に示される広告の露出回数をカウントする。広告が地図上に露出されるか否かについての判断は、位置情報、地図のイメージ番号、地図の座標、及びズームレベル情報を通じて成すことができる。すなわち、広告の対象となる企業のイメージやアイコンが示されるズームレベルに該当するマッシュアップ地図データの呼出回数によって、当該露出回数をカウントすることができる。
【００９６】
また、段階Ｓ６３１において、クリック数をカウントする。マッシュアップ地図広告において、広告に該当するイメージやｗｅｂバナーがリンク情報を有している場合、当該リンクへの移動回数がクリック数としてカウントされる。
【００９７】
また、スクラップ回数をカウントすることもできる（ステップＳ６３２）。「スクラップ」は、マッシュアップ地図データがブログやニュースページのような内部サイトまたは外部サイトに掲示される場合を意味する。
【００９８】
マッシュアップ地図データが、広告管理システムに属しないＵＲＬによって要請される場合、要請回数をカウントすることによって、スクラップ回数をカウントすることができる。  
【００９９】
また、オープンＡＰＩを用いてマッシュアップ地図データをサイトに掲示した場合は、スクラップのために与えられたオープンＡＰＩのキーの値を用いてスクラップ回数をカウントすることができる。
【０１００】
段階Ｓ６３３において、プリント回数をカウントする。プリント回数と関する広告の追跡ができるように、ｗｅｂ上で別途のプリントのボタンを生成するのが好ましい。
【０１０１】
従って、プリントのボタンがクリックされる場合、プリント命令がユーザの運営体制へ伝えられると共に、広告がプリントされたということが地図広告システムへ通報されるように構成することができる。
【０１０２】
なお、本発明の実施の形態において述べた構成のうち、露出回数のカウント、クリック数のカウント、及びプリント回数のカウントは、地図広告システムのサイトから発生した回数をカウントするのみならず、スクラップされた他のサイト（外部サイト）から発生した回数も含むことができる。
【０１０３】
また、図９には示されていないが、広告の露出期間もカウントされ、広告費精算に適用することができる。
【０１０４】
このように広告の追跡がなされると、段階Ｓ６４０において、モニタリングの結果と広告レイヤの識別子とのマッチングを行う。この段階S６４０は、カウントの値が広告レイヤの識別子の関数が定めた特定の値に逹したか否かについて判断する。また、カウントの値が広告レイヤの識別子の関数が定めた特定の値を超過する場合、超過分を計算するように構成することもできる。または、カウントの値の自体を広告レイヤの識別子の関数の出力によって設定することも可能である。
【０１０５】
そして、段階S６４０のマッチングの結果に応じて、段階Ｓ６５０において、広告がどのくらいなされたかに関する広告の追跡情報が格納される。広告の追跡情報は、今後の広告費精算に適用することができ、仮に広告費が前払いで支払われている場合、広告の掲載期間が満了する時期などを判断することができる。また、広告の追跡情報は、広告確認サーバー１１１を通じてアドバタイザーがリアルタイムに確認することもできる。
【０１０６】
このように本発明のマッシュアップ地図広告は、広告露出を適切に追跡できるので、様々な広告費課金方式を提供することが可能となる。さらに、オープンＡＰＩを用いてスクラップを提供し、スクラップされた後にも選択された広告費課金方式に応じて当該広告の現況が追跡される。
【０１０７】
本発明の実施例は多様なコンピュータで具現される動作を行うためのプログラム命令を含むコンピュータで読取可能な記録媒体を含む。当該記録媒体は、上述したように本発明の実施例による方法を実行させるためのプログラム又はプロセスを記録する。この記録媒体はプログラム命令、データファイル、データ構造などを単独又は組み合わせて含むことができる。このような記録媒体の例としては、ハードディスク、フロッピー（登録商標）ディスク及び磁気テープのような磁気媒体、ＣＤおよびＤＶＤのような光記録媒体、フロプティカルディスク（ｆｌｏｐｔｉｃａｌｄｉｓｋ）と磁気-光媒体、ＲＯＭ、ＲＡＭ、フラッシュメモリなどのようなプログラム命令を保存し遂行するように構成されたハードウェア装置などがある。また、このような記録媒体は、プログラム命令、データ構造などを指定する信号を伝送する搬送波を含む光又は金属線、導波管などの伝送媒体であってよい。プログラム命令の例としては、コンパイラーにより作られるような機械語コードだけでなく、インタープリタなどを使用してコンピュータにより実行され得る高級言語コードを含む。
【０１０８】
以上、本発明の詳細な説明では具体的な実施形態について説明したが、本発明の要旨から逸脱しない範囲内で多様に変形できる。よって、本発明の権利範囲は、上述の実施形態に限定されるものではなく、特許請求の範囲の記載及びこれと均等なものに基づいて定められるべきである。
【図面の簡単な説明】
【０１０９】
【図１】従来の地図サービスシステムのフローチャートである。
【図２】従来の地図サービスシステムによる広告露出の形態の一例を示す図である。
【図３】本発明の一実施の形態に係る地図広告システムの概略的な構成を示すブロック図である。
【図４】本発明の一実施の形態に係る地図広告システムの詳細な構成を示すブロック図である。
【図５】本発明の一実施の形態に係るマッシュアップ地図広告データの構造をレイヤ状に示した図である。
【図６】本発明の一実施の形態に係る広告レイヤの識別子の情報要素を示す図である。
【図７】本発明の一実施の形態に係る地図広告の方法を示すフロー図である。
【図８】本発明の一実施の形態に係りマッシュアップ地図広告を生成する方法を示すフロー図である。
【図９】本発明の一実施の形態に係る広告追跡の方法を示すフロー図である。
【符号の説明】
【０１１０】
１０  アドバタイザー端末
２０  地図サービスシステム
３０  ユーザ端末
４０  ブログ
５０  ニュースページ
６０  外部サイト
１００  地図広告システム
１１０  広告管理部
１１１  広告確認サーバー
１１２  ログデータ統計サーバー
１１３  広告登録サーバー
１１４  広告追跡サーバー
１１５  広告管理サーバー
１２０  マッシュアップ地図広告部
１２１  内部マッシュアップ地図広告サーバー
１２２  外部マッシュアップ地図広告サーバー
１３０  ベースマップ提供部
１３１  ベースマップサーバー
１３２  ベースマップ情報を格納するデータベース
１３３  オープンＡＰＩサーバー
１３４  オープンＡＰＩ情報を格納するデータベース
ｆ１  地図のイメージ番号  
ｆ２  ズームレベル番号
ｆ３  地図イメージ座標  、
ｆ４  ＧＰＳ座標
ｆ５  リンク情報
ｆ６  時間関数
ｆ７  クリック回数の制限関数
ｆ８  露出回数の制限関数
ｆ９  ズームレベル露出の制限関数
ｆ１０  プリントの制限関数
ｆ１１  ＵＲＬ露出の制限関数
【図１】
2008210385.tif 000003
【図２】
2008210385.tif 000004
【図３】
2008210385.tif 000005
【図４】
2008210385.tif 000006
【図５】
2008210385.tif 000007
【図６】
2008210385.tif 000008
【図７】
2008210385.tif 000009
【図８】
2008210385.tif 000010
【図９】
2008210385.tif 000011